(57)【要約】【課題】着け心地の良いパンツ型吸収性物品を提供すること。【解決手段】パンツ型吸収性物品（１）であって、吸収性コア（１１）を有するとともに、長手方向に二つ折りされた吸収性本体（１０）と、横方向に伸縮する伸縮領域をそれぞれ有する一対のベルト部（２１，２２）とを有し、吸収性コア（１１）は、横方向の中央部において、吸収性コア（１１）が縦方向に沿って折れ曲がるように誘導する折り誘導領域（３１）を有し、折り誘導領域（３１）は、パンツ型吸収性物品（１）の縦方向の下端よりも上側、且つ、前後方向の後側に配され、後側のベルト部（２２）が有する伸縮領域の少なくとも一部が、折り誘導領域（３１）を横断していること。【選択図】図４
2018175364.tif 000002
【特許請求の範囲】
【請求項１】
縦方向、横方向、及び、前後方向を有するパンツ型吸収性物品であって、
吸収性コアを有するとともに、長手方向に二つ折りされて、前記長手方向が前記縦方向に沿っている吸収性本体と、
前記横方向に伸縮する伸縮領域をそれぞれ有する一対のベルト部と、を有し、
前記吸収性コアは、前記横方向の中央部において、前記吸収性コアが前記縦方向に沿って折れ曲がるように誘導する折り誘導領域を有し、
前記折り誘導領域は、前記パンツ型吸収性物品の前記縦方向の下端よりも上側、且つ、前記前後方向の後側に配されており、
前記後側の前記ベルト部が有する前記伸縮領域の少なくとも一部が、前記折り誘導領域を横断していること、を特徴とするパンツ型吸収性物品。
【請求項２】
請求項１に記載のパンツ型吸収性物品であって、
前記折り誘導領域では、周囲に比べて前記吸収性コアの坪量が低くなっていること、を特徴とするパンツ型吸収性物品。
【請求項３】
請求項１又は請求項２に記載のパンツ型吸収性物品であって、
前記吸収性コアは、前記折り誘導領域の前記横方向の両側において、前記吸収性コアが前記縦方向及び前記横方向に沿って折れ曲がるように誘導する一対の第２折り誘導領域を有し、
前記後側の前記ベルト部が有する前記伸縮領域の少なくとも一部が、一対の前記第２折り誘導領域を横断し、
前記第２折り誘導領域に比べて前記折り誘導領域において、前記吸収性コアがより折れ曲がり易くなっていること、を特徴とするパンツ型吸収性物品。
【請求項４】
請求項３に記載のパンツ型吸収性物品であって、
前記吸収性コアは、前記長手方向における前記折り誘導領域よりも前記後側の端部側において、前記吸収性コアが前記縦方向及び前記横方向に沿って折れ曲がるように誘導する第３折り誘導領域を有し、
前記後側の前記ベルト部が有する前記伸縮領域の少なくとも一部が、前記第３折り誘導領域を横断し、
前記第３折り誘導領域に比べて前記折り誘導領域において、前記吸収性コアがより折れ曲がり易くなっていること、を特徴とするパンツ型吸収性物品。
【請求項５】
請求項４に記載のパンツ型吸収性物品であって、
前記吸収性コアは、前記縦方向における前記第２折り誘導領域と前記第３折り誘導領域との間において、前記吸収性コアの前記横方向の全幅に亘り、前記第２折り誘導領域及び前記第３折り誘導領域に比べて前記吸収性コアが折れ曲がり難い非折り誘導領域を有すること、を特徴とするパンツ型吸収性物品。
【請求項６】
請求項４又は請求項５に記載のパンツ型吸収性物品であって、
前記第２折り誘導領域、及び、前記第３折り誘導領域は、前記横方向よりも前記縦方向に長い縦長部と、前記縦方向よりも前記横方向に長い横長部とが、交差した形状を成し、
前記第２折り誘導領域において、前記縦長部の前記縦方向の長さが、前記横長部の前記横方向の長さよりも長く、
前記第３折り誘導領域において、前記縦長部の前記縦方向の長さが、前記横長部の前記横方向の長さよりも長いこと、を特徴とするパンツ型吸収性物品。
【請求項７】
請求項６に記載のパンツ型吸収性物品であって、
前記第２折り誘導領域、及び、前記第３折り誘導領域では、複数の前記縦長部が前記横方向に並び、
前記吸収性コアは、前記横方向における前記折り誘導領域と前記第２折り誘導領域との間、及び、前記横方向における複数の前記縦長部の間において、前記第２折り誘導領域及び前記第３折り誘導領域に比べて前記吸収性コアが折れ曲がり難く、且つ、前記横方向よりも前記縦方向に長い第２非折り誘導領域を有すること、特徴とするパンツ型吸収性物品。
【請求項８】
請求項１から請求項７の何れか１項に記載のパンツ型吸収性物品であって、
前記吸収性コアは、前記横方向の中央部において、前記吸収性コアが前記縦方向に沿って折れ曲がるように誘導する第４折り誘導領域を有し、
前記第４折り誘導領域は、前記パンツ型吸収性物品の前記縦方向の下端よりも上側、且つ、前記前後方向の前側に配されており、
前記前側の前記ベルト部が有する前記伸縮領域の少なくとも一部が、前記第４折り誘導領域を横断していること、を特徴とするパンツ型吸収性物品。
【請求項９】
請求項８に記載のパンツ型吸収性物品であって、
前記吸収性コアは、
前記第４折り誘導領域の前記横方向の両側において、前記吸収性コアが前記縦方向及び前記横方向に沿って折れ曲がるように誘導する一対の第５折り誘導領域を有し、
前記横方向における前記第４折り誘導領域と前記第５折り誘導領域との間において、前記第４折り誘導領域及び前記第５折り誘導領域に比べて前記吸収性コアが折れ曲がり難く、且つ、前記横方向よりも前記縦方向に長い第３非折り誘導領域を有すること、特徴とするパンツ型吸収性物品。
【請求項１０】
請求項８又は請求項９に記載のパンツ型吸収性物品であって、
前記吸収性コアは、着用時に着用者の股下部に位置する股下部位を有し、
前記股下部位は、前記折り誘導領域及び第４折り誘導領域が共に配されていない部位を有すること、を特徴とするパンツ型吸収性物品。
【請求項１１】
請求項１０に記載のパンツ型吸収性物品であって、
前記吸収性コアは、前記股下部位において、前記吸収性コアが前記縦方向及び前記横方向に沿って折れ曲がるように誘導する第６折り誘導領域を有すること、を特徴とするパンツ型吸収性物品。
【請求項１２】
請求項１から請求項１１の何れか１項に記載のパンツ型吸収性物品であって、
前記吸収性コアは、前記長手方向の中央部において、前記長手方向の端部よりも前記横方向の幅が狭い幅狭部を有し、
前記折り誘導領域の少なくとも一部は、前記長手方向において、前記幅狭部よりも前記吸収性コアの前記後側の端部側に位置していること、を特徴とするパンツ型吸収性物品。
【発明の詳細な説明】
【技術分野】
【０００１】
本発明は、パンツ型吸収性物品に関する。
【背景技術】
【０００２】
パンツ型吸収性物品は尿等の排泄液を吸収する吸収性コアを有している。特許文献１に開示されている吸収性コアの幅方向中央部には、長手方向に延びる貫通孔が設けられている。このような吸収性コアによれば、排泄液が長手方向に拡散するため、排泄液の吸収性がよい。
【先行技術文献】
【特許文献】
【０００３】
【特許文献１】特開２０１３−２５５５７１号公報
【発明の概要】
【発明が解決しようとする課題】
【０００４】
但し、貫通孔を起点に吸収性コアは長手方向に沿って折れ曲がり易くなる。特許文献１の吸収性コアは、長手方向の中央域に貫通孔が設けられている。そのため、貫通孔を起点に肌側に凸に折れ曲がった吸収性コアが着用者の股下部に当たり易く、着け心地が良くない。
【０００５】
本発明は、上記のような問題に鑑みてなされたものであって、着け心地の良いパンツ型吸収性物品を提供することを目的とする。
【課題を解決するための手段】
【０００６】
上記目的を達成するための主たる発明は、縦方向、横方向、及び、前後方向を有するパンツ型吸収性物品であって、吸収性コアを有するとともに、長手方向に二つ折りされて、前記長手方向が前記縦方向に沿っている吸収性本体と、前記横方向に伸縮する伸縮領域をそれぞれ有する一対のベルト部と、を有し、前記吸収性コアは、前記横方向の中央部において、前記吸収性コアが前記縦方向に沿って折れ曲がるように誘導する折り誘導領域を有し、前記折り誘導領域は、前記パンツ型吸収性物品の前記縦方向の下端よりも上側、且つ、前記前後方向の後側に配されており、前記後側の前記ベルト部が有する前記伸縮領域の少なくとも一部が、前記折り誘導領域を横断していること、を特徴とするパンツ型吸収性物品である。
本発明の他の特徴については、本明細書及び添付図面の記載により明らかにする。
【発明の効果】
【０００７】
本発明によれば、着け心地の良いパンツ型吸収性物品を提供できる。
【図面の簡単な説明】
【０００８】
【図１】パンツ型使い捨ておむつ１の斜視図である。
【図２】展開且つ伸長状態のおむつ１を非肌側から見た概略平面図である。
【図３】図２のＩ−Ｉ線での概略断面図である。
【図４】展開且つ伸長状態のおむつ１の概略平面図である。
【図５】吸収性コア１１を説明する平面図である。
【図６】吸収性コア１１の臀部位１１Ｃを説明する平面図である。
【図７】図７Ａは図６のＩ−Ｉ線の断面図、図７Ｂは図６のＩＩ−ＩＩ線の断面図、図７Ｃは図６のＩＩＩ−ＩＩＩ線の断面図、図７Ｄは図６のＩＶ−ＩＶ線の断面図である。
【図８】展開且つ伸長状態の第２実施形態のおむつ１の概略平面図である。
【発明を実施するための形態】
【０００９】
本明細書及び添付図面の記載により、少なくとも以下の事項が明らかとなる。
縦方向、横方向、及び、前後方向を有するパンツ型吸収性物品であって、吸収性コアを有するとともに、長手方向に二つ折りされて、前記長手方向が前記縦方向に沿っている吸収性本体と、前記横方向に伸縮する伸縮領域をそれぞれ有する一対のベルト部と、を有し、前記吸収性コアは、前記横方向の中央部において、前記吸収性コアが前記縦方向に沿って折れ曲がるように誘導する折り誘導領域を有し、前記折り誘導領域は、前記パンツ型吸収性物品の前記縦方向の下端よりも上側、且つ、前記前後方向の後側に配されており、前記後側の前記ベルト部が有する前記伸縮領域の少なくとも一部が、前記折り誘導領域を横断していること、を特徴とするパンツ型吸収性物品である。
【００１０】
このようなパンツ型吸収性物品によれば、着用者の臀部の割れ目に吸収性コアが入り込み、フィット性が良い。一方、パンツ型吸収性物品の下端において、吸収性コアが肌側に凸に折れ曲がり、着用者の股下部に当たってしまうことを抑制できる。よって、着け心地が良い。
【００１１】
かかるパンツ型吸収性物品であって、前記折り誘導領域では、周囲に比べて前記吸収性コアの坪量が低くなっていること、を特徴とするパンツ型吸収性物品である。
【００１２】
このようなパンツ型吸収性物品によれば、折り誘導領域において、吸収性コアが折れ曲がり易くなる。
【００１３】
かかるパンツ型吸収性物品であって、前記吸収性コアは、前記折り誘導領域の前記横方向の両側において、前記吸収性コアが前記縦方向及び前記横方向に沿って折れ曲がるように誘導する一対の第２折り誘導領域を有し、前記後側の前記ベルト部が有する前記伸縮領域の少なくとも一部が、一対の前記第２折り誘導領域を横断し、前記第２折り誘導領域に比べて前記折り誘導領域において、前記吸収性コアがより折れ曲がり易くなっていること、を特徴とするパンツ型吸収性物品である。
【００１４】
このようなパンツ型吸収性物品によれば、着用者の臀部の割れ目の両側の丸みのある部位に沿って、吸収性コアが折れ曲がり、密着する。よって、フィット性がよく、着け心地が良い。
【００１５】
かかるパンツ型吸収性物品であって、前記吸収性コアは、前記長手方向における前記折り誘導領域よりも前記後側の端部側において、前記吸収性コアが前記縦方向及び前記横方向に沿って折れ曲がるように誘導する第３折り誘導領域を有し、前記後側の前記ベルト部が有する前記伸縮領域の少なくとも一部が、前記第３折り誘導領域を横断し、前記第３折り誘導領域に比べて前記折り誘導領域において、前記吸収性コアがより折れ曲がり易くなっていること、を特徴とするパンツ型吸収性物品である。
【００１６】
このようなパンツ型吸収性物品によれば、着用者の臀部の上側の丸みのある部位に沿って、吸収性コアが折れ曲がり、密着する。よって、フィット性がよく、着け心地が良い。
【００１７】
かかるパンツ型吸収性物品であって、前記吸収性コアは、前記縦方向における前記第２折り誘導領域と前記第３折り誘導領域との間において、前記吸収性コアの前記横方向の全幅に亘り、前記第２折り誘導領域及び前記第３折り誘導領域に比べて前記吸収性コアが折れ曲がり難い非折り誘導領域を有すること、を特徴とするパンツ型吸収性物品である。
【００１８】
このようなパンツ型吸収性物品によれば、非折り誘導領域で排泄液をしっかりと吸収でき、後ろ漏れを抑制できる。また、第２折り誘導領域と第３折り誘導領域の間に非折り誘導領域を配置することで、第２折り誘導領域及び第３折り誘導領域に連動して非折り誘導領域も臀部に沿い易くなる。
【００１９】
かかるパンツ型吸収性物品であって、前記第２折り誘導領域、及び、前記第３折り誘導領域は、前記横方向よりも前記縦方向に長い縦長部と、前記縦方向よりも前記横方向に長い横長部とが、交差した形状を成し、前記第２折り誘導領域において、前記縦長部の前記縦方向の長さが、前記横長部の前記横方向の長さよりも長く、前記第３折り誘導領域において、前記縦長部の前記縦方向の長さが、前記横長部の前記横方向の長さよりも長いこと、を特徴とするパンツ型吸収性物品である。
【００２０】
このようなパンツ型吸収性物品によれば、第２折り誘導領域及び第３折り誘導領域において、吸収性コアは着用者の胴回りに沿って湾曲し易く、着用者の臀部によりフィットする。よって、着け心地が良い。
【００２１】
かかるパンツ型吸収性物品であって、前記第２折り誘導領域、及び、前記第３折り誘導領域では、複数の前記縦長部が前記横方向に並び、前記吸収性コアは、前記横方向における前記折り誘導領域と前記第２折り誘導領域との間、及び、前記横方向における複数の前記縦長部の間において、前記第２折り誘導領域及び前記第３折り誘導領域に比べて前記吸収性コアが折れ曲がり難く、且つ、前記横方向よりも前記縦方向に長い第２非折り誘導領域を有すること、特徴とするパンツ型吸収性物品である。
【００２２】
このようなパンツ型吸収性物品によれば、第２非折り誘導領域が支持体となって、吸収性コアは着用者の胴回りに沿って湾曲し易く、着用者の臀部によりフィットする。よって、着け心地が良い。
【００２３】
かかるパンツ型吸収性物品であって、前記吸収性コアは、前記横方向の中央部において、前記吸収性コアが前記縦方向に沿って折れ曲がるように誘導する第４折り誘導領域を有し、前記第４折り誘導領域は、前記パンツ型吸収性物品の前記縦方向の下端よりも上側、且つ、前記前後方向の前側に配されており、前記前側の前記ベルト部が有する前記伸縮領域の少なくとも一部が、前記第４折り誘導領域を横断していること、を特徴とするパンツ型吸収性物品である。
【００２４】
このようなパンツ型吸収性物品によれば、着用者の下腹部（特に男性の性器）に沿って吸収性コアが非肌側に凸に折れ曲がり易い。よって、フィット性が良く、着け心地が良い。
【００２５】
かかるパンツ型吸収性物品であって、前記吸収性コアは、前記第４折り誘導領域の前記横方向の両側において、前記吸収性コアが前記縦方向及び前記横方向に沿って折れ曲がるように誘導する一対の第５折り誘導領域を有し、前記横方向における前記第４折り誘導領域と前記第５折り誘導領域との間において、前記第４折り誘導領域及び前記第５折り誘導領域に比べて前記吸収性コアが折れ曲がり難く、且つ、前記横方向よりも前記縦方向に長い第３非折り誘導領域を有すること、特徴とするパンツ型吸収性物品である。
【００２６】
このようなパンツ型吸収性物品によれば、第３非折り誘導領域で排泄液をしっかりと吸収でき、横漏れを抑制できる。
【００２７】
かかるパンツ型吸収性物品であって、前記吸収性コアは、着用時に着用者の股下部に位置する股下部位を有し、前記股下部位は、前記折り誘導領域及び第４折り誘導領域が共に配されていない部位を有すること、を特徴とするパンツ型吸収性物品である。
【００２８】
このようなパンツ型吸収性物品によれば、吸収性コアの股下部位が肌側に凸に折れ曲がり、着用者の股下部に当たってしまうことを抑制できる。よって、着け心地が良い。
【００２９】
かかるパンツ型吸収性物品であって、前記吸収性コアは、前記股下部位において、前記吸収性コアが前記縦方向及び前記横方向に沿って折れ曲がるように誘導する第６折り誘導領域を有すること、を特徴とするパンツ型吸収性物品である。
【００３０】
このようなパンツ型吸収性物品によれば、着用者の股下部に沿って、吸収性コアが折れ曲がる。よって、フィット性が良く、着け心地が良い。
【００３１】
かかるパンツ型吸収性物品であって、前記吸収性コアは、前記長手方向の中央部において、前記長手方向の端部よりも前記横方向の幅が狭い幅狭部を有し、前記折り誘導領域の少なくとも一部は、前記長手方向において、前記幅狭部よりも前記吸収性コアの前記後側の端部側に位置していること、を特徴とするパンツ型吸収性物品である。
【００３２】
このようなパンツ型吸収性物品によれば、着用者の臀部の割れ目に折り誘導領域が位置し易く、吸収性コアが着用者の臀部の割れ目に入り込み易い。
【００３３】
以下、本発明の「パンツ型吸収性物品」として、大人用の使い捨ておむつを例に挙げて実施形態を説明する。但し、本発明のパンツ型吸収性物品は、例えば、子供用の使い捨ておむつや、生理用品（ショーツ型ナプキン）等としても利用可能である。
【００３４】
＝＝＝第１実施形態＝＝＝
＜＜おむつ１の全体構成＞＞
図１は、パンツ型使い捨ておむつ１（以下、おむつ）の斜視図である。図２は、展開且つ伸長状態のおむつ１を非肌側から見た概略平面図である。図３は、図２のＩ−Ｉ線での概略断面図である。
【００３５】
おむつ１は、縦方向、横方向、及び、前後方向を有するとともに、図３に示すように、各部材が積層された厚さ方向を有する。縦方向において、着用者の胴側となる側を上側とし、着用者の股下となる側を下側とする。前後方向において、着用者の腹側となる側を前側とし、着用者の背側となる側を後側とする。厚さ方向において、着用者に接する側を肌側とし、その反対側を非肌側とする。
【００３６】
おむつ１は、平面視長方形状である吸収性本体１０と、吸収性本体１０の非肌側に位置する外装体２０とを有している。外装体２０は、前後方向における前側に位置する腹側外装体２１（ベルト部）と、前後方向における後側に位置する背側外装体２２（ベルト部）と、それらを繋ぐ股下外装体２３とを有している。厚さ方向に隣接する上記部材は接着剤等で接合されている。
【００３７】
また、吸収性本体１０の長手方向の一端側に、腹側外装体２１が位置し、吸収性本体１０の長手方向の他端側に、背側外装体２２が位置している。吸収性本体１０の長手方向において、腹側外装体２１が位置する側を前側とし、背側外装体２２が位置する側を後側とする。また、股下外装体２３は腹側外装体２１及び背側外装体２２よりも肌側に位置している。
【００３８】
なお、本実施形態のおむつ１では外装体２０が３部材から構成されているが、これに限らない。例えば、腹側外装体２１、背側外装体２２、及び、股下外装体２３が１部材であってもよい。また、股下外装体２３を有さない構成としてもよい。
【００３９】
図２に示す展開状態のおむつ１は、吸収性本体２が長手方向の中央ＣＬで２つ折りされ、腹側外装体２１の横方向の両側部と背側外装体２２の横方向の両側部とが溶着等で接合されることにより、図１に示すパンツ型となる。つまり、吸収性本体１０の長手方向がおむつ１の縦方向に沿い、腹側外装体２１と背側外装体２２とが環状につながって、胴回り開口１ａ及び一対の脚回り開口１ｂが形成される。以下、腹側外装体２１と背側外装体２２とが接合された領域を端部接合領域２４という。
【００４０】
吸収性本体１０は、図３に示すように、吸収性コア１１と、吸収性コア１１の肌側に位置するトップシート１２と、吸収性コア１１の非肌側に位置するバックシート１３とを有している。
【００４１】
吸収性コア１１は、尿等の排泄液を吸収して保持する部材であり、例えば高吸収性ポリマー（ＳＡＰ）が混入したパルプ繊維等の液体吸収性繊維により形成される。図示しないが、吸収性コア１１は、ティッシュペーパーや不織布等の液透過性のシートによって、外周面が覆われていてもよい。
【００４２】
トップシート１２は、液透過性のシートであり、例えば親水性のエアスルー不織布やスパンボンド不織布等が用いられる。バックシート１３は、液不透過性シート１３ａ、及び、その非肌側に配された液透過性シート１３ｂの二層構造である。液不透過性シート１３ａとしては、例えば樹脂フィルム等が用いられ、液透過性シート１３ｂとしては、例えば柔軟性を有する不織布等が用いられる。なお、バックシート１３は液不透過性シート１３ａの一層構造であってもよい。
【００４３】
また、詳細は図示しないが、図１に示すように、吸収性本体１０の横方向の両側部に、肌側に起立可能な立体ギャザー部１４を設けてもよい。
【００４４】
腹側外装体２１、及び、背側外装体２２は、それぞれ図２に示すように、縦方向において端部接合領域２４が位置する胴回り領域２１１，２２１と、胴回り領域２１１，２２１よりも下側の股下側領域２１２，２２２とを有している。胴回り領域２１１，２２１は平面視長方形状を成している。股下側領域２１２，２２２は略台形形状を成し、下側に向かって横幅が狭くなっている。腹側外装体２１に比べて背側外装体２２の方が、股下側領域２２２が大きく、着用者の臀部を被覆可能となっている。
【００４５】
腹側外装体２１、及び、背側外装体２２は、それぞれ図３に示すように、肌側に位置する肌側シート２１３，２２３と、非肌側に位置する非肌側シート２１４，２２４と、それらの間に位置し、少なくともおむつ１の横方向に伸縮性を備える伸縮性不織布２１５，２２５とを有している。
【００４６】
肌側シート２１３，２２３、及び、非肌側シート２１４，２２４は、柔軟なシートであることが好ましく、例えばスパンボンド不織布やＳＭＳ不織布等が用いられる。
【００４７】
伸縮性不織布２１５，２２５は、例えば、弾性を有する熱可塑性エラストマー性繊維であるポリウレタン系エラストマーと、非弾性を有する熱可塑性樹脂性繊維であるポリオレフィン系樹脂のポリプロピレン（ＰＰ）とを有しており、ギア延伸等の適宜な延伸処理が施された不織布である。この延伸処理により、伸縮不織布２１５，２２５は、おむつ１の横方向及び縦方向の伸縮性を有するものとする。なお、延伸処理は、互いに直交する方向に延伸処理を行うものであってもよいし、所定方向にのみ延伸処理を行うものであってもよい。所定方向にのみ延伸処理を行った場合、所定方向における伸縮性が発現されるが、すべての繊維の配向が所定方向に沿っているとは限らないため、所定方向と直交する方向にも伸縮性が発現される。
【００４８】
肌側シート２１３，２２３、非肌側シート２１４，２２４、及び、伸縮性不織布２１５，２２５は、点在する複数の溶着部２５ａ，２５ｂ（例えば超音波溶着が施された領域）により接合されているため、例えば固化する接着剤により接合される場合に比べて、肌触りが柔らかくなっている。また、溶着部２５ａ，２５ｂの間において、伸縮性不織布２１５，２２５が収縮することで、肌側シート２１３，２２３、及び、非肌側シート２１４，２２４が厚さ方向の外側に湾曲して突出する。つまり、肌側シート２１３，２２３、及び、非肌側シート２１４，２２４が溶着部２５ａ，２５ｂの間で膨らむため、肌触りがより柔らかくなり、視覚的にも柔らかい印象を使用者に付与できる。
【００４９】
また、伸縮性不織布２１５，２２５は、おむつ１の横方向及び縦方向に伸縮性を有する。また、溶着部２５ａ，２５ｂは、図２に示すように比較的に狭い間隔で点在している。そのため、本実施形態のおむつ１では、多方向に延び、且つ、きめ細やかな膨らみ（皺）が発生し、おむつ特有の一方向の皺（縦皺等）の発生を防止できるため、おむつ１の美観性が良い。
【００５０】
なお、伸縮性不織布２１５，２２５の代わりに伸縮性フィルムを用いてもよい。但し、伸縮性フィルムの厚みはほぼ均一であるため、溶着部２５ａ，２５ｂの間の肌側シート２１３，２２３及び非肌側シート２１４，２２４の膨らみが潰れ易い。これに対して、伸縮性不織布２１５，２２５は溶着部２５ａ，２５ｂの間において厚みが増すため、肌側シート２１３，２２３及び非肌側シート２１４，２２４の膨らみが潰れ難く、肌触りの柔らかさや美観性を保つことができる。
【００５１】
また、溶着部２５ａ，２５ｂが点在する領域のうち、吸収性本体１０と厚さ方向に重なる領域である第１点在領域Ｘと、それ以外の第２点在領域Ｙとで、溶着部２５ａ，２５ｂの形状や、単位面積当たりの溶着部２５ａ，２５ｂの割合を異ならせてもよい。
【００５２】
図２に示す第１点在領域Ｘでは、横方向に対して４５度又は−４５度傾いた略長方形状の溶着部２５ａが交互に配置されている。第２点在領域Ｙでは、円形状の溶着部２５ｂが千鳥状に配置されている。
【００５３】
また、第１点在領域Ｘに比べて第２点在領域Ｙの方が、単位面積当たりの溶着部２５ｂの面積が小さくなっている。そのため、汗やムレ等の問題を生じやすい胴回り領域２１１，２２１において、溶着部２５ｂにより通気性が阻害されてしまうことを抑制でき、適切な通気性を確保できる。一方、第１点在領域Ｘでは、腹側外装体２１及び背側外装体２２の収縮が適度に抑えられ、吸収性本体１０の横方向の収縮を軽減できる。
【００５４】
また、腹側外装体２１、及び、背側外装体２２では、胴回り開口１ａ及び脚回り開口１ｂに沿う領域に、複数の糸状弾性部材２６（例えば糸ゴム等）が配されている。つまり、おむつ１の胴回り及び脚回りは、糸状弾性部材２６により着用者にしっかりと密着するため、おむつ１のずれ落ちや脚回りからの漏れを防止できる。一方、その他の部位は、伸縮性不織布２１５，２２５により面全体で緩やかに着用者にフィットするため、締め付け感が軽減される。
【００５５】
股下外装体２３は、長手方向の中央部分において横方向の内側へ湾曲した平面視略砂時計形状を成している。また、図３に示すように、股下外装体２３は、肌側に位置する肌側シート２３１と、非肌側に位置する非肌側シート２３２と、それらの間に位置し、おむつ１の縦方向（吸収性本体１０の長手方向）に伸縮性を備える伸縮性不織布２３３とを有している。これらのシート２３１〜２３３は複数の溶着部（例えば第２点在領域Ｙと同様の溶着部２５ｂ）により接合されている。
【００５６】
股下外装体２３の伸縮性不織布２３３により、吸収性コア１１は着用者の股下部に密着でき、また、排泄により吸収性コア１１の重量が増しても、おむつ１の垂れ下がりを抑制できる。なお、伸縮性不織布２３３は、おむつ１の横方向に伸縮性を有するものでもよいし、おむつ１の縦方向及び横方向に伸縮性を有するものでもよい。また、股下外装体２３のうち脚回り開口１ｂに沿う領域に、複数の糸状弾性部材２６が配されており、股下外装体２３が着用者の脚回りに密着するようになっている。
【００５７】
＜＜吸収性コア１１について＞＞
図４は、展開且つ伸長状態のおむつ１の概略平面図であり、背側外装体２１の伸縮領域２１６及び腹側外装体２２の伸縮領域２２６と、吸収性コア１１との位置関係を説明する図である。なお、おむつ１の伸長状態とは、おむつ１を皺なく伸長させた状態であり、おむつ１を構成する各部材（例えば外装体２０を構成するシート等）の寸法がその部材単体の寸法と一致又はそれに近い長さになるまで伸長した状態である。
【００５８】
図５は、吸収性コア１１を説明する平面図である。図６は、吸収性コア１１の臀部位１１Ｃを説明する平面図である。図７Ａは、図６のＩ−Ｉ線の断面図であり、図７Ｂは、図６のＩＩ−ＩＩ線の断面図であり、図７Ｃは、図６のＩＩＩ−ＩＩＩ線の断面図であり、図７Ｄは、図６のＩＶ−ＩＶ線の断面図である。
【００５９】
吸収性コア１１は、着用時に着用者の下腹部に位置する「下腹部位１１Ａ」と、着用者の股下部に位置する「股下部位１１Ｂ」と、着用者の臀部に位置する「臀部位１１Ｃ」とを有する。図４では、腹側外装体２１と重複する部位を下腹部位１１Ａとし、背側外装体２２と重複する部位を臀部位１１Ｃとし、その間を股下部位１１Ｂとしている。
【００６０】
但し、図４に示す「股下部位１１Ｂ」の範囲は一例であり、これに限らない。例えば、長手方向において、腹側外装体２１の端部接合領域２４の下端から背側外装体２２の端部接合領域２４の下端までの領域を１／３にしたときの中央領域を股下部位としてもよい。
【００６１】
また、腹側外装体２１及び背側外装体２２において、伸縮性不織布２１５，２２５が配され、横方向に伸縮する領域を「伸縮領域２１６，２２６」という。本実施形態のおむつ１では、背側外装体２１及び腹側外装体２２のうち、胴回りの糸状弾性部材２６が配された上端領域以外の領域（図４にて斜線が施された領域）を伸縮領域２１６，２２６とする。よって、腹側外装体２１及び背側外装体２２のうち吸収性コア１１と厚さ方向に重なる領域においても、横方向の伸縮力が発現する。以下、腹側外装体２１の伸縮領域２１６を腹側伸縮領域２１６といい、背側外装体２２の伸縮領域２２６を背側伸縮領域２２６という。
【００６２】
〔１．吸収性コア１１の臀部位１１Ｃ〕
〔１．１  第１低坪量領域３１〕
吸収性コア１１は、パンツ型おむつ１の縦方向の下端１ｃ（図１参照）よりも上側、且つ、前後方向の後側に、「第１低坪量領域３１」を有する。第１低坪量領域３１は、吸収性コア１１の横方向の中央部に位置し、周囲に比べて吸収性コア１１の坪量が低く、おむつ１の横方向よりも縦方向に長い長方形状の領域である。
【００６３】
吸収性コア１１の坪量とは、単位面積当たりの吸収性コア１１（例えばＳＡＰが混入した液体吸収性繊維）の質量（ｇ／ｍ2）である。第１低坪量領域３１と周囲との吸収性コア１１の坪量の比較は、周知の方法で行うとよい。例えば、目視で比較する方法がある。その他、対象部位を吸収性コア１１からサンプルとして切り出し、各サンプルの質量、及び、各サンプルの面積を測定し、単位面積当たりの質量を算出して比較する方法がある。以下に説明するその他の低坪量領域に関しても、同様である。
【００６４】
本実施形態では、第１低坪量領域３１において吸収性コア１１が存在しないものとする。すなわち、第１低坪量領域３１は吸収性コア１１が厚さ方向に貫通した孔である。また、パンツ型おむつ１の下端１ｃは、展開且つ伸長状態のおむつ１における長手方向の中央位置ＣＬに対応し、その中央位置ＣＬよりも背側外装体２２側に第１低坪量領域３１は位置する。
【００６５】
吸収性コア１１は、第１低坪量領域３１と周囲との剛性差により、第１低坪量領域３１を起点として折れ曲がり易い。つまり、第１低坪量領域３１は、吸収性コア１１が縦方向に沿って折れ曲がるように誘導する折り誘導領域である。よって、吸収性コア１１の臀部位１１Ｃの横方向の中央部は縦方向に沿って折れ曲がり易く、着用者の臀部の割れ目に吸収性コア１１が入り込み易い。
【００６６】
しかし、吸収性コア１１と厚さ方向に重なる背側外装体２２において、横方向の伸縮力が発現しないとすると、第１低坪量領域３１において、吸収性コア１１が非肌側に凸に折れ曲がり、吸収性コア１１と着用者との間に隙間が生じる恐れがある。
【００６７】
これに対して、本実施形態のおむつ１では、図４に示すように、背側伸縮領域２２６と第１低坪量領域３１とが厚さ方向に重ねて配置されており、背側伸縮領域２２６の一部が、第１低坪量領域３１を横断している。
【００６８】
そのため、吸収性コア１１の臀部位１１Ｃは、背側伸縮領域２２６により着用者の臀部に密着し、第１低坪量領域３１において着用者の臀部の割れ目に沿って肌側に凸に折れ曲がる。よって、吸収性コア１１は、より確実に着用者の臀部の割れ目にフィットし、着用者が動く際にもフィット状態が維持される。ゆえに、おむつ１を着用している違和感が軽減され、おむつ１の着け心地が良い。また、着用者と吸収性コア１１の間の隙間からの排泄物の漏れを防止できる。
【００６９】
また、背側外装体２２が着用者の胴回りにフィットするように横方向に伸縮する伸縮性不織布２２５を利用して、吸収性コア１１を着用者の臀部の割れ目に密着させている。そのため、別の伸縮性部材を第１低坪量領域３１に重ねて設ける場合に比べて、構成が簡素化される。また、縦方向に伸縮する部材を利用する場合、吸収性コア１１が臀部の割れ目に過度に入り込むため、本実施形態のおむつ１のように横方向に伸縮する部材を利用するとよい。
【００７０】
また、第１低坪量領域３１はパンツ型おむつ１の下端１ｃよりも上方に設けられている。そのため、パンツ型おむつ１の下端１ｃ周辺の吸収性コア１１の部位が肌側に凸に折れ曲がって着用者の股下部に当たってしまうことを防止でき、おむつ１の着け心地がよい。
【００７１】
また、第１低坪量領域３１に沿って排泄液が移動し易く、吸収性コア１１の長手方向に排泄液を拡散できる。よって、吸収性コア１１の吸収能力が向上し、漏れを防止できる。
【００７２】
また、図５に示すように、吸収性コア１１は、長手方向の中央部において、長手方向の端部よりも横方向の幅が狭い「幅狭部１１Ｄ」を有する。この場合、第１低坪量領域３１の少なくとも一部（好ましくは全部）が、長手方向における幅狭部１１Ｄよりも吸収性コア１１の後側の端部１１ａ側に位置しているとよい。
【００７３】
吸収性コア１１の幅狭部１１Ｄは、着用者の太腿に挟み込まれ易く、着用者の股下部に位置し易い。そのため、上記の配置により、着用者の臀部の割れ目に当接する吸収性コア１１の部位に、第１低坪量領域３１が位置し易い。よって、着用者の臀部の割れ目に吸収性コア１１がフィットし易く、また、肌側に凸に折れ曲がった吸収性コア１１の部位が着用者の股下部に当たってしまうことを防止できる。
【００７４】
〔１．２  第２低坪量領域３２、及び、第３低坪量領域３３〕
吸収性コア１１は、第１低坪量領域３１の横方向の両側において、周囲に比べて吸収性コア１１の坪量が低い一対の「第２低坪量領域３２」を有する。
また、吸収性コア１１は、長手方向における第１低坪量領域３１よりも後側の端部１１ａ側において、周囲に比べて吸収性コア１１の坪量が低い「第３低坪量領域３３」を有する。
【００７５】
第２低坪量領域３２、及び、第３低坪量領域３３は、略格子形状を成し、横方向よりも縦方向に長い縦長部３２１，３３１と、縦方向よりも横方向に長い横長部３２２，３３２とが交差した形状を成している。具体的には、複数の縦長部３２１，３３１が横方向に間隔を空けて並び、且つ、縦長部３２１，３３１毎に、縦方向に間隔を空けて並ぶ複数の横長部３２２，３３２が交差している。
【００７６】
縦長部３２１，３３１は、吸収性コア１１が縦方向に沿って折れ曲がるように誘導し、横長部３２２，３３２は、吸収性コア１１が横方向に沿って折れ曲がるように誘導する。よって、第２低坪量領域３２、及び、第３低坪量領域３３は、吸収性コア１１が縦方向及び横方向に沿って折れ曲がるように誘導する折り誘導領域（第２折り誘導領域、第３折り誘導領域）である。よって、吸収性コア１１は、第２低坪量領域３２、及び、第３低坪量領域３３により、臀部の割れ目以外の丸みのある部位に沿って変形し易い。
【００７７】
また、図４に示すように、背側伸縮領域２２６の一部は、一対の第２低坪量領域３２、及び、第３低坪量領域３３を横断している。そのため、吸収性コア１１は、臀部の割れ目以外の部位にも密着する。よって、おむつ１の着け心地がよく、排泄物の漏れも防止できる。特に左右の臀部は歩行時等に別の動きをするが、吸収性コア１１はその動きに追従できる。
【００７８】
また、第２低坪量領域３２、及び、第３低坪量領域３３により、排泄液が吸収性コア１１の長手方向及び横方向に拡散し、吸収性コア１１の吸収能力が向上する。
【００７９】
また、臀部の割れ目の傾斜に比べて、それ以外の臀部の傾斜の方が緩やかである。そこで、図７Ａ等に示すように、第２低坪量領域３２，第３低坪量領域３３に吸収性コア１１が存在するものとし、第２低坪量領域３２の坪量、及び、第３低坪量領域３３の坪量を、第１低坪量領域３１の坪量よりも高くするとよい。つまり、第２低坪量領域３２、及び、第３低坪量領域３３に比べて、第１低坪量領域３１において、吸収性コア１１がより折れ曲がり易くなるようにするとよい。
【００８０】
そうすることで、第１低坪量領域３１により吸収性コア１１は着用者の臀部の割れ目にしっかりと入り込み、第２低坪量領域３２及び第３低坪量領域３３により吸収性コア１１は臀部の割れ目以外の部位に沿って緩やかに折れ曲がることができる。更に、第２低坪量領域３２、及び、第３低坪量領域３３に存在する吸収性コア１１により、吸収性コア１１の吸収能力が向上する。
【００８１】
また、着用者の臀部では、胴回り方向の曲がりの方が上下方向の曲がりに比べて急である。そこで、図６に示すように、第２低坪量領域３２において、縦長部３２１の縦方向の長さＬ１を、横長部３２２の横方向の長さＬ２よりも長くし、第３低坪量領域３３において、縦長部３３１の縦方向の長さＬ３を、横長部３３２の横方向の長さＬ４よりも長くするとよい。
【００８２】
この場合、吸収性コア１１は、第２低坪量領域３２、及び、第３低坪量領域３３において、横方向の所定の間隔おきに、縦長部３２１，３３１に沿って折れ曲がり易くなる。よって、吸収性コア１１は、胴回りに沿って湾曲し易く、着用者の臀部によりフィットする。
【００８３】
〔１．３  第１高坪量領域４１〕
図６に示すように、吸収性コア１１は、縦方向における第２低坪量領域３２と第３低坪量領域３３との間において、吸収性コア１１の横方向の全幅に亘り、低坪量領域が存在しない「第１高坪量領域４１」を有する。
【００８４】
第１高坪量領域４１は、第２低坪量領域３２及び第３低坪量領域３３に比べて、吸収性コア１１の坪量が高く、吸収性コア１１が折れ曲がり難い非折り誘導領域である。第１高坪量領域４１により、後側に流れてきた排泄液をしっかりと吸収できる。よって、後ろ漏れを防止できる。
【００８５】
但し、第１高坪量領域４１では、第２低坪量領域３２や第３低坪量領域３３に比べると、吸収性コア１１が臀部に沿い難く、背側伸縮領域２２６の影響で横方向に収縮し、縦皺が生じ易い。そこで、上記のように、第２低坪量領域３２と第３低坪量領域３３の間に、第１高坪量領域４１を配することが好ましい。
【００８６】
そうすることで、例えば吸収性コア１１の端部１１ａに第１高坪量領域４１が位置する場合に比べて、第１高坪量領域４１は、第２低坪量領域３２及び第３低坪量領域３３に追従して臀部に沿い易く、横方向への収縮を抑えられる。よって、第１高坪量領域４１での縦皺の発生を抑えることができ、おむつ１の着け心地の低下を防止できる。
【００８７】
〔１．４  第２高坪量領域４２〕
図６に示すように、第1低坪量領域３１と第２低坪量領域３２は横方向に間隔を空けて配置されている。また、第２低坪量領域３２及び第３低坪量領域３３において、横長部３２２，３３２は横方向に分断されている。そのため、吸収性コア１１は、横方向における第１低坪量領域３１と第２低坪量領域３２との間、横方向における第２低坪量領域３２の複数の縦長部３２１の間、及び、横方向における第３低坪量領域３３の複数の縦長部３３１の間において、「第２高坪量領域４２」を有する。
【００８８】
第２高坪量領域４２は、第２低坪量領域３２及び第３低坪量領域３３に比べて、吸収性コア１１の坪量が高く、吸収性コア１１が折れ曲がり難い非折り誘導領域（第２非折り誘導領域）である。また、第２高坪量領域４２は、横方向よりも縦方向に長い長方形状の領域である。
【００８９】
この場合、第２高坪量領域４２が支持体となり、吸収性コア１１は、横方向の所定の間隔おきに、縦方向に沿って折れ曲がり易くなる。よって、吸収性コア１１は、胴回りに沿って湾曲し易く、着用者の臀部によりフィットする。
【００９０】
また、第２高坪量領域４２で排泄液をしっかりと吸収できるので、排泄液の横方向への拡散し過ぎを防止できる。よって、横漏れを防止できる。
【００９１】
〔２．吸収性コア１１の下腹部位１１Ａ〕
〔２．１  第４低坪量領域３４〕
図４に示すように、吸収性コア１１は、パンツ型おむつ１の縦方向の下端１ｃよりも上側、且つ、前後方向の前側に、「第４低坪量領域３４」を有する。第４低坪量領域３４は、吸収性コア１１の横方向の中央部に位置し、周囲に比べて吸収性コア１１の坪量が低く、おむつ１の横方向よりも縦方向に長い長方形状の領域である。
【００９２】
つまり、第４低坪量領域３４は、吸収性コア１１が縦方向に沿って折れ曲がるように誘導する折り誘導領域（第４折り誘導領域）である。また、図４に示すように、腹側伸縮領域２１６の一部が、第４低坪量領域３４を横断している。
【００９３】
そのため、吸収性コア１１は、第４低坪量領域３４において、着用者の下腹部（具体的には、男性の性器や女性の下腹部（ビキニラインで囲まれる逆三角形の膨らみ部分））に沿って非肌側に凸に折れ曲がり、密着する。よって、吸収性コア１１は、着用者の下腹部にフィットするため、おむつ１の着け心地がよく、排泄物の漏れも防止できる。
【００９４】
〔２．２  第５低坪量領域３５、及び、第７低坪量領域３７〕
図５に示すように、吸収性コア１１は、第４低坪量領域３４の横方向の両側において、周囲に比べて吸収性コア１１の坪量が低い一対の「第５低坪量領域３５」を有する。
また、吸収性コア１１は、長手方向における第４低坪量領域３４よりも前側の端部１１ｂ側において、周囲に比べて吸収性コア１１の坪量が低い「第７低坪量領域３７」を有する。
【００９５】
第５低坪量領域３５、及び、第７低坪量領域３７は、縦長部３５１，３７１と横長部３５２，３７２とが交差した形状を成し、吸収性コア１１が縦方向及び横方向に沿って折れ曲がるように誘導する折り誘導領域である。更に、図４に示すように、腹側伸縮領域２１６の一部が、第５低坪量領域３５（第５折り誘導領域）、及び、第７低坪量領域３７を横断している。
【００９６】
そのため、吸収性コア１１は、第５低坪量領域３５、及び、第７低坪量領域３７により、男性の性器や女性の下腹部を包み込むように折れ曲がり、密着する。よって、吸収性コア１１は、着用者の下腹部によりフィットする。
【００９７】
また、前述の第４低坪量領域３４には吸収性コア１１を存在させず、第５低坪量領域３５及び第７低坪量領域３７に比べて、第４低坪量領域３４の吸収性コア１１の坪量を低くするとよい。そうすることで、吸収性コア１１は第４低坪量領域３４にてしっかりと折れ曲がるため、特に男性の性器に吸収性コア１１をフィットさせることができる。
【００９８】
また、前述の第２低坪量領域３２と同様に、第５低坪量領域３５、及び、第７低坪量領域３７においても、縦長部３５１，３７１の縦方向の長さが横長部３５２，３７２の横方向の長さよりも長く、また、縦長部３５１，３７１の間に縦長の高坪量領域が存在する。そのため、吸収性コア１１の下腹部位１１Ａは、横方向の所定の間隔おきに縦方向に沿って折れ曲がり、胴回りに沿って湾曲し易く、着用者の下腹部によりフィットする。
【００９９】
また、第５低坪量領域３５の縦長部３５１と第７低坪量領域３７１の縦長部３７１とが連続している。よって、吸収性コア１１の下腹部位１１Ａには、吸収性コア１１の横方向の全幅に亘り低坪量領域が存在しない領域、つまり、排泄液を堰き止める領域がない。しかし、排泄液は、着用者の就寝時等において特に後側に漏れ易いため問題がなく、逆に、吸収性コア１１の下腹部位１１Ａでは、その全域が着用者の下腹部にフィットし易くなっている。
【０１００】
〔２．３  第３高坪量領域４３〕
図５に示すように、吸収性コア１１は、横方向における第４低坪量領域３４と第５低坪量領域３５との間において、「第３高坪量領域４３」を有する。第３高坪量領域４３は、第４低坪量領域３４及び第５低坪量領域３５に比べて、吸収性コア１１の坪量が高く、吸収性コア１１が折れ曲がり難い非折り誘導領域（第３非折れ誘導領域）である。また、第３高坪量領域４３は、横方向よりも縦方向に長い長方形状の領域である。
【０１０１】
そのため、第３高坪量領域４３が支持体となり、吸収性コア１１は第４低坪量領域３４において非肌側に凸に折れ曲がり易く、吸収性コア１１は着用者の下腹部によりフィットする。また、吸収性コア１１の下腹部位１１Ａは排尿位置に当接する。そのため、第３高坪量領域４３を配することで、排泄液をしっかりと吸収でき、横方向への排泄液の拡散し過ぎを防止できる。よって、横漏れを防止できる。
【０１０２】
〔３．吸収性コア１１の股下部位１１Ａ〕
〔３．１  第６低坪量領域３６〕
図５に示すように、第１低坪量領域３１と第４低坪量領域３４は、吸収性コア１１の長手方向に離間して配置されている。よって、吸収性コア１１の股下部位１１Ａは、第１低坪量領域３１及び第４低坪量領域３４が共に配されていない部位１１Ｂ１（図４参照）を有する。
【０１０３】
そのため、吸収性コア１１の股下部位１１Ａが肌側に凸に折れ曲がって着用者の股下部に当たってしまうことを防止でき、おむつ１の着け心地が良い。また、吸収性コア１１の股下部位１１Ａが非肌側に凸に折れ曲がり、着用者との間に隙間が生じてしまうことを防止できる。
【０１０４】
また、吸収性コア１１は、股下部位１１Ａにおいて、周囲に比べて吸収性コア１１の坪量が低い「第６低坪量領域３６」を有する。第６低坪量領域３６は、縦長部３６１と横長部３６２とが交差した形状を成し、吸収性コア１１が縦方向及び横方向に沿って折れ曲がるように誘導する折り誘導領域（第６折り誘導領域）である。そのため、吸収性コア１１は、第６低坪量領域３６により、着用者の股下部を包み込むように折れ曲がる。
【０１０５】
更に、本実施形態の股下外装体２３には（図３参照）伸縮性不織布２３３が配されており、その伸縮性不織布２３３と第６低坪量領域３６とが厚さ方向に重ねて配置される。よって、吸収性コア１１は、着用者の股下部に密着し、よりフィットするため、おむつ１の着け心地がよい。
【０１０６】
また、前述の第２低坪量領域３２と同様に、第６低坪量領域３６においても、縦長部３６１の縦方向の長さが横長部３６２の横方向の長さよりも長く、また、縦長部３６１の間に縦長の高坪量領域が存在する。そのため、吸収性コア１１の股下部位１１Ｂは、横方向の所定の間隔おきに縦方向に沿って折れ曲がり、非肌側に凸に横方向に湾曲する着用者の股下部にフィットする。
【０１０７】
〔４．変形例〕
吸収性コア１１は、少なくとも第１低坪量領域３１を有していればよい。第２低坪量領域３２〜第７低坪量領域３７、及び、第１高坪量領域４１〜第３高坪量領域４３は、吸収性コア１１が適宜有していても有していなくてもよい。
また、第１低坪量領域３１，第４低坪量領域３４を貫通孔とするに限らず、第２低坪量領域３２及び第３低坪量領域３３等よりも低い坪量で、第１低坪量領域３１及び第４低坪量領域３４に吸収性コア１１を配してもよい。
【０１０８】
また、図７Ａ等では、第２低坪量領域３２等において、吸収性コア１１が厚さ方向の両側から凹んでいる場合を例に挙げている。但しこれに限らず、第２低坪量領域３２、第３低坪量領域３３、第５低坪量領域３５、第６低坪量領域３６、及び、第７低坪量領域３７において、図７Ａ等に示すように吸収性コア１１が厚さ方向の両側から凹んでいてもよいし、厚さ方向の肌側からのみ凹んでいてもよいし、厚さ方向の非肌側からのみ凹んでいてもよい。
【０１０９】
＝＝＝第２実施形態＝＝＝
図８は、第２実施形態のおむつ１を説明する図であり、展開且つ伸長状態のおむつ１の概略平面図である。第２実施形態のおむつ１では、腹側外装体２１及び背側外装体２２に、伸縮性不織布２１５，２２５の代わりに、複数の糸状弾性部材５０（例えば糸ゴム等）が縦方向に間隔を空けて配されている。それ以外の構成は第１実施形態のおむつ１と同じとする。
【０１１０】
詳しくは、腹側外装体２１及び背側外装体２２がそれぞれ有する肌側シート２１３，２２３と非肌側シート２１４，２２４の間に、糸状弾性部材５０が横方向に伸長した状態で固定されている。この場合にも、腹側外装体２１及び背側外装体２２は横方向に伸縮する伸縮領域２１６，２２６（図８で太線で囲まれた領域）を有することになる。
【０１１１】
図８に示すように、糸状弾性部材５０は、吸収性コア１１の第１〜第５低坪量領域３１〜３５及び第７低坪量領域３７を横断している。また、吸収性コア１１と厚さ方向に重なる腹側外装体２１及び背側外装体２２においても、糸状弾性部材５０の横方向の伸縮力が発現するものとする。そのため、吸収性コア１１は、着用者の臀部の割れ目に入り込んだり、着用者の臀部や下腹部に沿って折れ曲がって密着したりできる。
【０１１２】
また、図８に示すおむつ１では、縦方向において吸収性コア１１と重複する糸状弾性部材５０の縦方向の間隔（例えばＬ５）と、略格子形状の低坪量領域（第２，第３，第５，第７低坪量領域３２，３３，３５，３７）が有する横長部（３２２，３３２，３５２，３７２）の縦方向の間隔（例えばＬ６）が同程度である。
【０１１３】
しかし、糸状弾性部材５０の縦方向の間隔を、横長部の縦方向の間隔よりも小さくしてもよい。そうすることで、複数の横長部に沿って折れ曲がり、縦方向に湾曲する吸収性コア１１を、より細かい間隔で配された糸状弾性部材５０で密着させることができる。よって、吸収性コア１１はより臀部や下腹部に沿い易くなる。
【０１１４】
＝＝＝第３実施形態＝＝＝
第１実施形態のおむつ１では、吸収性コア１１の坪量を周囲に比べて低くすることで、折り誘導領域を形成しているが、これに限らない。例えば、吸収性コア１１を厚さ方向に圧搾した圧搾部を形成することで、折り誘導領域を形成してもよい。第２折り誘導領域〜第６折り誘導領域についても同様である。この場合、圧搾部が形成されていない領域が、非折り誘導領域となる。また、第２折り誘導領域及び第３折り誘導領域に比べて、折り誘導領域において、吸収性コア１１がより折れ曲がり易くなるように、折り誘導領域をより強く圧搾するとよい。
【０１１５】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【０１１６】
１  パンツ型使い捨ておむつ（パンツ型吸収性物品）、１０  吸収性本体、
１１  吸収性コア、１１Ａ  下腹部位、１１Ｂ  股下部位、
１１Ｃ  臀部位、１１Ｄ  幅狭部、
１２  トップシート、１３  バックシート、１４  立体ギャザー部、
２０  外装体、
２１  腹側外装体（ベルト部）、２１６伸縮領域、
２２  背側外装体（ベルト部）、２２６  伸縮領域、
２３  股下外装体、２４  端部接合領域、
２５ａ，２５ｂ  溶着部、２６  糸状弾性部材、
３１  第１低坪量領域（折り誘導領域）、
３２  第２低坪量領域（第２折り誘導領域）、３２１  縦長部、３２２  横長部、
３３  第３低坪量領域（第３折り誘導領域）、３３１  縦長部、３３２  横長部、
３４  第４低坪量領域（第４折り誘導領域）、
３５  第５低坪量領域（第５折り誘導領域）、３５１  縦長部、３５２  横長部、
３６  第６低坪量領域（第６折り誘導領域）、３６１  縦長部、３６２  横長部、
３７  第７低坪量領域、３７１  縦長部、３７２  横長部、
４１  第１高坪量領域４１（非折り誘導領域）、
４２  第２高坪量領域（第２非折り誘導領域）、
４３  第３高坪量領域（第３非折り誘導領域）、
５０  糸状弾性部材、
【図１】
2018175364.tif 000003
【図２】
2018175364.tif 000004
【図３】
2018175364.tif 000005
【図４】
2018175364.tif 000006
【図５】
2018175364.tif 000007
【図６】
2018175364.tif 000008
【図７】
2018175364.tif 000009
【図８】
2018175364.tif 000010